(57)【要約】【課題】短波長の光源を導入した場合であっても互換性を維持することができる複合ヘッドおよび光情報記憶装置を提供する。【解決手段】情報記録媒体上に近接し、あるいは接触するスライダ、そのスライダを保持するスライダ保持具、スライダ上に設けられた、それぞれが情報記録媒体上に光を集光させる複数の集光レンズ、および複数の集光レンズそれぞれに対応してスライダ上に設けられた、それた複数の集光レンズそれぞれによって光が集光される各位置に磁場を発生させる複数の磁気コイルを備えている。【選択図】        図１
2004206782.tif 000002
【特許請求の範囲】
【請求項１】
情報記録媒体上に近接し、あるいは接触するスライダ、
前記スライダを保持するスライダ保持具、
前記スライダ上に設けられた、それぞれが前記情報記録媒体上に光を集光させる複数の集光レンズ、および
前記複数の集光レンズそれぞれに対応して前記スライダ上に設けられた、該複数の集光レンズそれぞれによって光が集光される各位置に磁場を発生させる複数の磁気コイルを備えたことを特徴とする複合ヘッド。
【請求項２】
前記複数の集光レンズが、それぞれ異なる波長の光に対応した複数の集光レンズを含むものであることを特徴とする請求項１記載の複合ヘッド。
【請求項３】
前記複数の集光レンズが、互いに同一の波長の光に対応した複数の集光レンズを含むものであることを特徴とする請求項１記載の複合ヘッド。
【請求項４】
前記複数の磁気コイルは、少なくとも１つの磁気コイルの巻き数が他の磁気コイルの巻き数と相違するものであることを特徴とする請求項１記載の複合ヘッド。
【請求項５】
前記情報記録媒体は、表面に複数のトラックが設けられたものであって、
前記複数の集光レンズが、前記情報記録媒体上の互いに異なるトラックに対応する位置に設けられたものであることを特徴とする請求項１記載の複合ヘッド。
【請求項６】
所定の情報記録媒体に対し、光によって少なくとも情報再生を行う光情報記憶装置において、
前記情報記録媒体を保持する媒体保持具、
前記媒体保持具に保持されている情報記録媒体上に近接し、あるいは接触するスライダ、
前記スライダを保持するスライダ保持具、
それぞれが光を発する複数の光源、
前記スライダ上に設けられた、それぞれが前記情報記録媒体上に光を集光させる複数の集光レンズ、および
前記複数の集光レンズそれぞれに対応して前記スライダ上に設けられた、該複数の集光レンズそれぞれによって光が集光される各位置に磁場を発生させる複数の磁気コイルを備えたことを特徴とする光情報記憶装置。
【発明の詳細な説明】
【０００１】
【発明の属する技術分野】
本発明は、情報記録媒体に光を照射し磁場を印加する複合ヘッド、および情報記録媒体に光でアクセスする光情報記憶装置に関する。
【０００２】
【従来の技術】
従来より、音声信号や画像信号を記憶する大容量の記録媒体として、ＣＤ，ＣＤ−ＲＯＭ，ＣＤ−Ｒ，ＤＶＤ，ＰＤ，ＭＯ，ＭＤ等といった情報記録媒体が広く使われている。特に、光磁気記録媒体は、情報の書き換えが可能な高密度記録媒体として注目されており、さらなる高記録密度化などのために盛んに研究開発が行われている。また、そのような情報記録媒体に対する情報再生や情報記憶をより高速に行うための光情報記憶装置の研究開発もさかんに行われている。
【０００３】
従来の光情報記憶装置は情報記録媒体の記録面側に磁気ヘッドを配置し、記録面の裏の基板側に複合ヘッドを配置するという方式であったが、近年、高密度化および高速化を実現する一方式として、情報記録媒体の記録面側に、磁気ヘッドと光学ヘッドを複合させた複合ヘッドを配置する表面記録型の光情報記憶装置の開発が盛んに行われている（例えば、特許文献１、特許文献２、および特許文献３参照。）。
【０００４】
また、このような複合ヘッドに、近い将来の実用化が期待されている短波長（主として青紫色）の半導体レーザを組みあわせることで、更なる高密度化を図ることも考えられる。
【０００５】
【特許文献１】
特開平１１−１６２０３４号公報
【特許文献２】
特開２００１−３５０３９号公報
【特許文献３】
特開２０００−２７６８０５号公報
【０００６】
【発明が解決しようとする課題】
ところで、従来の光情報記憶装置における一般的な特徴としては、技術開発に伴って順次に記憶容量の向上が図られてきたために併存している複数種類の媒体を一つの装置でユーザの目的に応じて使い分けることが可能であるという、いわゆる互換性を有することが挙げられ、この互換性という特徴は、将来開発される更なる大容量の光情報記憶装置でも引き継ぐことが期待されている。
【０００７】
現在は、光情報記憶装置の光源に、長波長（主として赤色）の光を発する半導体レーザが用いられており、短波長（主として青紫色）の半導体レーザを光情報記憶装置の光源に用いた場合には、長波長の光に適応した従来の情報記録媒体に対するアクセスが困難になることが予想される。これは、短波長用の媒体と長波長用の媒体とではトラックピッチ、記録膜特性、反射率特性等が大きく異なることに起因しており、互換性を有するという特徴が失われる恐れがある。
【０００８】
本発明は、上記事情に鑑み、短波長の光源を導入した場合であっても互換性を維持することができる光学ヘッドおよび光情報記憶装置を提供することを目的とする。
【０００９】
【課題を解決するための手段】
上記目的を達成する本発明の複合ヘッドは、
情報記録媒体上に近接し、あるいは接触するスライダ、
スライダを保持するスライダ保持具、
スライダ上に設けられた、それぞれが情報記録媒体上に光を集光させる複数の集光レンズ、および
前記複数の集光レンズそれぞれに対応して前記スライダ上に設けられた、該複数の集光レンズそれぞれによって光が集光される各位置に磁場を発生させる複数の磁気コイルを備えたことを特徴とする。
【００１０】
ここで「集光レンズ」は、いわゆる単玉のレンズであってもよく、あるいは貼り合わせレンズであってもよく、あるいは互いに独立した複数レンズからなる組レンズであってもよい。また、複数の集光レンズは、共通構造を持つものであってもよく、あるいは、互いに異なる構造を持つものであってもよい。
【００１１】
短波長の光源を導入した場合に互換性を維持するためには、単純に、複数の光源それぞれに対応する複数の複合ヘッドを備えることが考えられるが、装置の大型化、制御の複雑化、コストの上昇などの原因となる。
【００１２】
本発明の複合ヘッドでは、集光レンズと磁気コイルが複数セットスライダ上に設けられているので、１つの複合ヘッドで複数の光源に対応することができ、この複合ヘッドを用いることにより、装置の小型化や制御の単純化を図りつつ互換性の維持を図ることができる。
【００１３】
本発明の複合ヘッドは、上記複数の集光レンズが、それぞれ異なる波長の光に対応した複数の集光レンズを含むものであるという形態であってもよく、あるいは、
本発明の複合ヘッドは、上記複数の集光レンズが、互いに同一の波長の光に対応した複数の集光レンズを含むものであるという形態であってもよい。
【００１４】
また、本発明の複合ヘッドは、上記複数の磁気コイルが、少なくとも１つの磁気コイルの巻き数が他の磁気コイルの巻き数と相違するものであることが好適である。
【００１５】
磁気コイルの巻き数が相違すると磁場の発生能力も相違するので、用途に応じて磁気コイルを使い分け、所望の発生能力を得ることができる。
【００１６】
また、本発明の複合ヘッドにおいて、
上記情報記録媒体は、表面に複数のトラックが設けられたものであって、
上記複数の集光レンズが、情報記録媒体上の互いに異なるトラックに対応する位置に設けられたものである
という形態も好適な形態である。この好適な形態によれば、複数トラックへの同時アクセスが可能であるので、情報再生や情報記憶の速度が向上する。なお、互換性と高速アクセスとを同時に達成したい場合には、同一波長の光に対応した複数組のレンズセットとともに、それぞれ異なる波長の光に対応した複数組のレンズセットもスライダ上に搭載することで達成することができる。
【００１７】
上記目的を達成する本発明の光情報記憶装置は、所定の情報記録媒体に対し、光によって少なくとも情報再生を行う光情報記憶装置において、
情報記録媒体を保持する媒体保持具、
媒体保持具に保持されている情報記録媒体上に近接し、あるいは接触するスライダ、
スライダを保持するスライダ保持具、
それぞれが光を発する複数の光源、
スライダ上に設けられた、それぞれが情報記録媒体上に光を集光させる複数の集光レンズ、および
複数の集光レンズそれぞれに対応してスライダ上に設けられた、それら複数の集光レンズそれぞれによって光が集光される各位置に磁場を発生させる複数の磁気コイルを備えたことを特徴とする。
【００１８】
複数の波長に対応した複数の集光レンズであれば、複数の光源が必要となる。一方、互いに同一の波長に対応した複数の集光レンズであれば、光源は１つあればよい。
【００１９】
本発明の光情報記憶装置では、集光レンズと磁気コイルが複数セットスライダ上に設けられているとともに、それら複数セットの集光レンズと磁気コイルそれぞれに対応する複数の光源も備えられているので、小型化や制御の単純化を図りつつ互換性の維持を図ることができる。
【００２０】
なお、本発明の光情報記憶装置については、ここではその基本形態のみを示すのにとどめるが、これは単に重複を避けるためであり、本発明の光情報記憶装置には、上記の基本形態のみではなく、前述した複合ヘッドの各形態に対応する各種の形態が含まれる。
【００２１】
【発明の実施の形態】
以下、本発明の実施形態について説明する。
【００２２】
図１は、本発明の一実施形態に相当する光磁気（ＭＯ）ディスク装置を示すハード構成図であり、先ず、この図１を参照してＭＯディスク装置の基本構成を説明する。
【００２３】
この図１に示すＭＯディスク装置１は、パーソナルコンピュータなどといったホスト装置に接続され、あるいは内蔵されて使用されるものである。
【００２４】
このＭＯディスク装置１は、大きく分けて、ＭＯディスクを内包したカートリッジが内部に挿入されてカートリッジ内のＭＯディスクにアクセスするエンクロージャ１１と、エンクロージャ１１の動作を制御するコントロールユニット１０に区分けされる。
【００２５】
エンクロージャ１１内に挿入されたカートリッジのＭＯディスクは、スピンドルモータ４０によって保持される。このスピンドルモータ４０は、マイクロプロセッサユニット（Ｍｉｃｒｏ  Ｐｒｏｃｅｓｓｏｒ  Ｕｎｉｔ：ＭＰＵ）１２から発せられる駆動制御信号に従うスピンドルモータドライバ３８によって駆動電流を供給されて、所定方向へのＭＯディスクの回転駆動や、ＭＯディスクの強制的な停止などを行う。
【００２６】
ＭＯディスクには、全体が１本の螺旋状に繋がった多数周のトラックが設けられており、このトラックに沿って情報が１次元的に記録される。
【００２７】
図示を省略したイジェクトボタンが押されると、ＭＰＵ１２からイジェクト信号が発せられてイジェクトモータドライバ５１に入力され、そのイジェクトモータドライバ５１によってイジェクトモータ５２に駆動電流が供給され、イジェクトモータ５２によってカートリッジごとＭＯディスクがＭＯディスク装置１外に送出される。
【００２８】
エンクロージャ１１にはレーザダイオードユニット３０が備えられており、このレーザダイオードユニット３０には、本発明にいう複数の光源に相当する、赤色のレーザダイオード３１ａと青紫色のレーザダイオード３１ｂが備えられている。
【００２９】
情報再生時には、２つのレーザダイオード３１ａ，３１ｂのうち、エンクロージャ１１内のＭＯディスクの種類に応じて選択された一方のレーザダイオードから所定強度のレーザ光が発せられる。２つのレーザダイオード３１ａ，３１ｂそれぞれから発せられるレーザ光の強度は、各モニタフォトダイオード３２ａ，３２ｂを介してモニタされレーザダイオード制御回路２２によって制御される。また、デジタルシグナルプロセッサ（Ｄｉｇｉｔａｌ  Ｓｉｇｎａｌ  Ｐｒｏｃｅｓｓｏｒ：ＤＳＰ）１６から再生磁界発生信号が発せられてコイル駆動ドライバ４２に入力され、コイル駆動ドライバ４２から、２つのコイル４４ａ，４４ｂのうち光源に応じたコイルに、再生磁界発生信号に応じた電流が供給されて、ＭＯディスク上に再生磁界が発生される。
【００３０】
レーザダイオードから発せられたレーザ光は、再生磁場の下で、後述する集光レンズによってＭＯディスク上に集光照射され、ＭＯディスクに記録されている情報に応じた反射光を生じる。その反射光は、２つのＩＤ／ＭＯ用ディテクタ３３ａ，３３ｂのうち光源に応じたＩＤ／ＭＯ用ディテクタによって受光されてＩＤ信号およびＭＯ信号が検出される。それらＩＤ信号およびＭＯ信号は、ヘッドアンプ３４で増幅されてリードＬＳＩ回路２４に入力され、周波数シンセサイザ２６が水晶振動子１０１の基本周期信号の周期を変更して生成する周期信号に同期したリード復調回路２５によって復調されて再生データに変換される。この再生データは、光ディスクコントローラ１４によってエラーをチェックされたうえでインタフェース１７を介してホスト装置へと送られる。
【００３１】
一方、情報記録時には、ホスト装置からインタフェース１７を介して記録データが光ディスクコントローラ１４およびＤＳＰ１６に送られて来る。その記録データは、光ディスクコントローラ１４によってシンクバイト、ＶＦＯ、エラーコレクションコードなどが付加されてライトＬＳＩ回路２０に入力される。この記録データは、ライトＬＳＩ回路２０のライト変調回路２１で変調されて書込信号に変換され、その書込信号がレーザダイオードユニット３０に入力されて、レーザダイオードから書込信号に応じたレーザ光が発せられる。
【００３２】
また、この情報記録時には、ＤＳＰ１６から、記録データに応じた記録磁界発生信号が発せられてコイル駆動ドライバ４２に入力され、コイル駆動ドライバ４２からコイルに記録磁界発生信号に応じた電流が供給されて、ＭＯディスク上に記録磁界が発生される。そして、この記録磁界と、上述した書込信号に応じたレーザ光によってＭＯディスクに情報が記録される。なお、情報消去時には、所定の向きの消去磁界が発生されて情報が消去される。
【００３３】
また、ＭＯディスク装置１には、アクチュエータドライバ６６によって駆動電流を供給されて、上記集光レンズを搭載したスライダをＭＯディスクの表面に沿って移動させるアクチュエータ６８が備えられている。アクチュエータドライバ６６は、エラー検出回路４６が、各光源用のエラー検出用ディテクタ４５ａ，４５ｂによって得られるディテクト信号から検出するトラッキングエラーシグナルと、ＭＰＵ１２から発せられるシーク信号とに応じてＤＳＰ１６により制御される。
【００３４】
ＭＯディスク装置１は、基本的には以上説明したような構造を有している。このＭＯディスク装置１における本発明の実施形態としての特徴は、主として、以下説明する複合ヘッドにある。
【００３５】
図２は、複合ヘッド周辺部分を表す正面図であり、図３は、複合ヘッド周辺部分を表す斜視図である。
【００３６】
本実施形態における複合ヘッドには、反射ミラー１１０と、サスペンション１２０と、スライダ１３０が備えられている。また、この図２には、上述したＭＯディスク２００を保持して回転駆動させるスピンドルモータ４０や、複合ヘッドをＭＯディスク２００に沿って半径方向に駆動するアクチュエータ６８が示されており、さらに、上述したレーザダイオードやディテクタ等を内蔵した固定光学部３５も示されている。
【００３７】
スライダ１３０は、本発明にいうスライダ保持具の一例に相当するサスペンション１２０によって、ＭＯディスク２００に近接した位置に保持されており、スライダ１３０とＭＯディスク２００との間に空気が流れていることによりスライダ１３０とＭＯディスク２００との距離が安定して保たれている。
【００３８】
スライダ１３０には、２つのレーザダイオードそれぞれに対応した２つの集光レンズ１３３ａ，１３３ｂが搭載されており、スライダ１３０内部に組み込まれたコイルと、上述したコイル駆動ドライバとを結ぶ引き出し線１３６ａ，１３６ｂがスライダ１３０の側面に接続されている。
【００３９】
固定光学部３５に内蔵された光源から発せられるレーザ光は、反射ミラー１１０で反射され、スライダ１３０上の集光レンズ１３３ａ，１３３ｂによって集光されてＭＯディスク２００上に照射される。ＭＯディスク２００からの反射光は、反射ミラー１１０で再び反射されて固定光学部３５に戻り、上述した各種のディテクタでディテクトされる。
【００４０】
図４は、スライダのＢ−Ｂ’間の断面図である。
【００４１】
スライダ１３０に搭載されている２つ集光レンズ１３３ａ，１３３ｂは、いずれも、２枚のレンズ１３３＿１ａ，１３３＿２ａ；１３３＿１ｂ，１３３＿２ｂから構成される２段型の高ＮＡレンズとなっている。集光レンズ１３３ａ，１３３ｂを構成する下段側のレンズ１３３＿２ａ，１３３＿２ｂは、ガラス基板１３２に接着されており、ガラス基板１３２はレンズブロック１３１に接着されている。このレンズブロック１３１に孔が形成されており、その孔の内部に下段側のレンズ１３３＿２ａ，１３３＿２ｂが配置され、その孔の上に上段側のレンズ１３３＿１ａ，１３３＿１ｂが載せられている。
【００４２】
ガラス基板１３２の、下段側のレンズ１３３＿２ａ，１３３＿２ｂが接着された表面に対する裏面には、薄膜技術のプロセスが用いられて、スパイラル形状のコイル４４ａ，４４ｂと孔の空いた円盤状の磁性膜１３５ａ，１３５ｂが形成されており、コイル４４ａ，４４ｂの中心部分を光Ｌａ，Ｌｂが透過する。また、コイル４４ａ，４４ｂは絶縁膜によって保護されている。なお、コイル４４ａ，４４ｂの材質は銅であり、磁性膜１３５ａ，１３５ｂの材質は、ここでは一般的なＮｉ−Ｆｅ合金が採用されている。引き出し線１３６ａ，１３６ｂを介してコイル４４ａ，４４ｂに電流が供給されることにより、コイル４４ａ，４４ｂは、上述した再生磁場や記録磁場などをＭＯディスク２００上に発生させる。
【００４３】
ここでコイル４４ａ，４４ｂとＭＯディスク２００との距離は数μｍから数十μｍという非常に近い距離であり、下段側のレンズ１３３＿２ａ，１３３＿２ｂとＭＯディスク２００も十分に接近している。このため、コイル４４ａ，４４ｂの中心部分を透過する光のスポット径を十分に小さくすることができるとともに、コイル４４ａ，４４ｂの内径も十分に小さくすることができる。その結果、磁界発生効率が向上し、コイルの消費電力を抑えることができる。また、コイル４４ａ，４４ｂの内径が小さいとコイル４４ａ，４４ｂのインダクタンスも低いので、コイル４４ａ，４４ｂの駆動周波数を向上させることができ、高密度、高速転送が実現される。
【００４４】
ここで、２つ集光レンズ１３３ａ，１３３ｂのうち、図４の左側に示されている集光レンズ１３３ａを構成するレンズ１３３＿１ａ，１３３＿２ａの曲率や厚みは、図１に示す２つのレーザダイオード３１ａ，３１ｂのうち、長波長（赤色）のレーザダイオード３１ａが発するレーザ光の波長に対応した仕様となっており、もう一方の集光レンズ１３３ｂを構成するレンズ１３３＿１ｂ，１３３＿２ｂの曲率や厚みは、短波長（青紫色）のレーザダイオード３１ｂが発するレーザ光の波長に対応した仕様となっている。これにより、１つの複合ヘッドで長波長用の情報記憶媒体と短波長用の情報記憶媒体との双方に対する記録再生が可能となり、いわゆる互換性が維持されている。
【００４５】
一般的に、長波長用の情報記憶媒体に対し、短波長用の情報記憶媒体では、記録磁界や再生磁界として強い磁界を必要とする傾向にある。そこで短波長の光に対応した集光レンズ１３３ｂとの組を成すコイル４４ｂは、長波長の光に対応した集光レンズ１３３ａとの組を成すコイル４４ａよりも巻数が多くてインダクタンスが高く、より強い磁界強度を得ることができるので、記録再生に好都合である。
【００４６】
なお、ここに示した例では２つ集光レンズ１３３ａ，１３３ｂが示されているが、本発明では、３つ以上の集光レンズが備えられてもよい。また、本発明における集光レンズの配置は、ここに示した例における配置に限定されないことは当然であり、例えば、図３や図４に示す２つ集光レンズ１３３ａ，１３３ｂの配置が左右逆になった配置などが採用されてもよい。
【００４７】
以下、上記説明した実施形態とは別の実施形態について説明する。ここで説明する別の実施形態は、２つの光源の波長が同一であることと、スライダ上の配置が異なることを除いて、上述した実施形態とほぼ同様の実施形態であるので、以下では、上記実施形態との相違点のみに着目した説明を行う。
【００４８】
また、ここで説明する別の実施形態は、「発明が解決しようとする課題」の欄に記載した目的とは合致しないものの、本発明の好ましい応用形態の１つである。
【００４９】
図５は、別の実施形態におけるスライダ部分を表す上面図である。
【００５０】
この別の実施形態には、図２、図３、および図４に示すスライダ１３０に替えて、スライダ１４０が備えられており、このスライダ１４０は、同一波長の複数の光源それぞれに対応する複数の集光レンズ１４１ａ，１４１ｂを搭載している。また、これら複数の集光レンズ１４１ａ，１４１ｂそれぞれの中心Ｍａ，Ｍｂは、スライダ１４０の中心Ｍからずれており、この実施形態では、集光レンズ１４１ａ，１４１ｂ及びコイルが互いに対称になるようにずれている。ズレの量は、組み立て誤差等を考慮すると数十μｍ程度以上であることが望ましい。
【００５１】
このような複数の集光レンズ１４１ａ，１４１ｂを備えていることにより、本実施形態では、ＭＯディスク２００の複箇所のトラックに対して同時並行に情報記録や情報再生を行うことができるのでデータの転送速度を向上させることができる。
【００５２】
なお、本発明では、複数の集光レンズが、同一トラック上に乗るように配置されてもよく、この場合には、情報記録と記録状態確認とを同時並行に実行することができる。
【００５３】
【発明の効果】
以上説明したように、本発明の光学ヘッドおよび光情報記憶装置によれば、短波長の光源を導入した場合であっても互換性を維持することができる。
【図面の簡単な説明】
【図１】本発明の一実施形態に相当する光磁気（ＭＯ）ディスク装置を示すハード構成図である。
【図２】複合ヘッド周辺部分を表す正面図である。
【図３】複合ヘッド周辺部分を表す斜視図である。
【図４】スライダのＢ−Ｂ’間の断面図である。
【図５】別の実施形態におけるスライダ部分を表す上面図である。
【符号の説明】
１    ＭＯディスク装置
１０    コントロールユニット
１１    エンクロージャ
１２    マイクロプロセッサユニット（ＭＰＵ）
１４    光ディスクコントローラ
１６    デジタルシグナルプロセッサ（ＤＳＰ）
１７    インタフェース
２０    ライトＬＳＩ回路
２１    ライト変調回路
２２    レーザダイオード制御回路
２４    リードＬＳＩ回路
２５    リード復調回路
２６    周波数シンセサイザ
３０    レーザダイオードユニット
３１ａ，３１ｂ    レーザダイオード
３２ａ，３２ｂ    モニタフォトダイオード
３３ａ，３３ｂ    ＩＤ／ＭＯ用ディテクタ
３４    ヘッドアンプ
３５    固定光学部
３８    スピンドルモータドライバ
４０    スピンドルモータ
４２    コイル駆動ドライバ
４４ａ，４４ｂ    コイル
４５ａ，４５ｂ    エラー検出用ディテクタ
４６    エラー検出回路
５１    イジェクトモータドライバ
５２    イジェクトモータ
６６    アクチュエータドライバ
６８    アクチュエータ
１０１    水晶振動子
１１０    反射ミラー
１２０    サスペンション
１３０    スライダ
１３１    レンズブロック
１３２    ガラス基板
１３３ａ，１３３ｂ    集光レンズ
１３３＿１ａ，１３３＿１ｂ    上段側のレンズ
１３３＿２ａ，１３３＿２ｂ    下段側のレンズ
１３５ａ，１３５ｂ    磁性膜
１３６ａ，１３６ｂ    引き出し線
１４０    スライダ
１４１ａ，１４１ｂ    集光レンズ
２００    ＭＯディスク
【図１】
2004206782.tif 000003
【図２】
2004206782.tif 000004
【図３】
2004206782.tif 000005
【図４】
2004206782.tif 000006
【図５】
2004206782.tif 000007